(57)【要約】【課題】安全性を確保した上で対象地域における電力消費の急激な上昇の抑制に貢献しつつ、緊急事態の発生を所有世帯に迅速に伝達することができる受信機を実現する。【解決手段】受信機（１）は、緊急警報信号を受信する受信部（１０）と、受信部（１０）が緊急警報信号を受信すると、ホームネットワーク内の複数台の表示装置に対して起動コマンドを、順次時間間隔をあけて送信するコマンド送信部（４１）とを備えている。【選択図】図１
2014053745.tif 000002
【特許請求の範囲】
【請求項１】
ホームネットワーク内のテレビ番組を表示可能な複数台の表示装置を管理する受信機であって、
緊急警報信号を受信する受信手段と、
上記受信手段が上記緊急警報信号を受信すると、上記複数台の表示装置に対し、上記表示装置を起動させる起動コマンドを、順次時間間隔をあけて送信する送信手段と、を備えていることを特徴とする受信機。
【請求項２】
上記複数台の表示装置の各々について、該表示装置の時間帯ごとの使用状況をモニタリングするモニタリング手段をさらに備え、
上記送信手段は、上記モニタリング手段によるモニタリングの結果に基づいて、上記緊急警報信号の受信時が属する時間帯での使用頻度が相対的に高い表示装置に対し、該時間帯での使用頻度が相対的に低い表示装置に対してよりも先に上記起動コマンドを送信する、ことを特徴とする請求項１に記載の受信機。
【請求項３】
上記送信手段が直近で送信した起動コマンドの送信先となった表示装置の周囲における人の有無を判定する判定手段をさらに備え、
上記送信手段は、上記判定手段により人が居ないと判定された場合には次の起動コマンドを送信し、上記判定手段により人が居ると判定された場合には以降の起動コマンドを送信しないように構成されている、ことを特徴とする請求項１または２に記載の受信機。
【請求項４】
上記送信手段が直近で送信した起動コマンドの送信先となった表示装置の周囲における人の有無を判定する判定手段をさらに備え、
上記送信手段は、上記判定手段により人が居ないと判定された場合にも人が居ると判定された場合にも上記判定手段による判定後すぐに次の起動コマンドを送信するように構成されている、ことを特徴とする請求項１または２に記載の受信機。
【請求項５】
上記複数台の表示装置の各々は、自装置の周囲に人が居ることを検出した場合にその旨を示す情報を上記受信機に送信するように構成されており、
上記判定手段は、直近の起動コマンドの送信時からの一定期間内に該起動コマンドの送信先となった表示装置から該情報を受信したことを以って、該表示装置の周囲に人が居ると判定し、該一定期間内に該情報を受信しなかったことを以って、該表示装置の周囲に人が居ないと判定するように構成されている、ことを特徴とする、請求項３または４に記載の受信機。
【請求項６】
上記複数台の表示装置の各々は、人感センサを備え、自装置の人感センサが周囲に人が居ることを検出した場合に上記情報を上記受信機に送信する、ことを特徴とする請求項５に記載の受信機。
【請求項７】
上記複数台の表示装置の各々は、リモコンにより操作可能に構成されており、自装置へのリモコンによる遠隔操作を検出した場合に上記情報を上記受信機に送信する、ことを特徴とする請求項５または６に記載の受信機。
【請求項８】
上記送信手段は、上記判定手段が表示装置に周囲に人がいないと判定した場合に、該表示装置に対して、該表示装置を待機状態にするコマンドを送信する、ことを特徴とする請求項３から７のいずれか１項に記載の受信機。
【請求項９】
請求項１に記載の受信機によって管理される、テレビ番組を表示可能な表示装置であって、
待機状態において上記起動コマンドを上記受信機から受信した場合に自装置を起動させる起動手段と、
上記起動手段により自装置が起動されると、放送中のテレビ番組を表示する表示手段と、を備えている、ことを特徴とする表示装置。
【請求項１０】
請求項１から８のいずれか１項に記載の各手段を備えていることを特徴とするテレビジョン受像機。
【請求項１１】
請求項１に記載の受信機と請求項９に記載の表示装置とを含んでいるホームネットワークシステム。
【請求項１２】
ホームネットワーク内のテレビ番組を表示可能な複数台の表示装置を管理する受信機の管理方法であって、
緊急警報信号を受信する受信工程と、
上記受信工程にて上記緊急警報信号が受信されると、上記複数台の表示装置に対し、上記表示装置を起動させる起動コマンドを、順次時間間隔をあけて送信する送信工程と、を含んでいることを特徴とする管理方法。
【請求項１３】
請求項１から８のいずれか１項に記載の受信機としてコンピュータを動作させるプログラムであって、コンピュータを上記各手段として機能させるためのプログラム。
【請求項１４】
請求項９に記載の表示装置としてコンピュータを動作させるプログラムであって、コンピュータを上記各手段として機能させるためのプログラム。
【請求項１５】
請求項１３に記載のプログラムが記録されているコンピュータ読み取り可能な記録媒体。
【請求項１６】
請求項１４に記載のプログラムが記録されているコンピュータ読み取り可能な記録媒体。
【発明の詳細な説明】
【技術分野】
【０００１】
本発明は、緊急警報放送を受信するため、スタンバイ状態の表示装置の電源を強制起動する受信機に関する。
【背景技術】
【０００２】
緊急事態の発生時に、対象地域の住民に対して緊急警報を通知する緊急警報放送を受信する緊急警報放送対応受信機が従来技術として知られている。地震発生等により例えば沿岸地域で津波の到来が予測される場合に、地上波及び衛星放送の放送波では緊急警報放送（Emergency Warning Broadcast System :EWBS）が送信される。緊急警報放送では、緊急避難指示等が繰り返し放送されるが、テレビを視聴していないユーザのため、スタンバイ状態の受信機を強制起動し、緊急事態に対処するための情報を確実に伝達するシステムが規定されている。
【０００３】
このシステムは、緊急事態の発生時に、緊急警報放送の対象地域を指定する地域コードと、対象地域の受信機を起動するフラグとを含む放送波を送信する。この放送波を受信した対象地域の受信機は、このフラグおよび地域コードを検出するブロックのみ常時通電しており、受信機がスタンバイ状態にある場合には起動を開始する。そして、起動後の受信機は、緊急警報放送を提示する。したがって、緊急事態の発生前にスタンバイ状態にあった受信機は、緊急事態に対処するための情報を視聴者に確実に伝達することができる。
【０００４】
この緊急警報放送は、津波警報の発令時等に送信されることから、対象地域が広範囲となり得る。そのため、対象地域の受信機が一斉に起動することにより、瞬間的に広範囲で電力消費の増大が起こり得る。また、災害の状況によっては電力供給が困難な事態を招き、二次災害を引き起こす可能性もある。このような電力消費の急増や電源供給の不十分を抑制するための技術が開発されている。
【０００５】
例えば特許文献１には、緊急事態が発生した場合、緊急警報を放送する対象地域内に存在する各受信機のCASID（Conditional Access ID）を用いて、各受信機の起動タイミングに時間差を設けることにより、瞬時的な電力消費の増大を抑制するデジタル放送受信機及び緊急警報放送システムに関する技術が開示されている。
【０００６】
また、特許文献２には、緊急警報放送の起動指示を受信した際に、受信した宅内においてネットワーク化された受信機以外の電化機器の電源を停止する制御を行うことにより、災害発生時における電力消費を低減することができるテレビジョン受像機、及び放送送信機に関する技術が開示されている。
【先行技術文献】
【特許文献】
【０００７】
【特許文献１】特開２００７−０１３８８９号公報（２００７年１月１８日公開）
【特許文献２】特開２００９−２３２３６３号公報（２００９年１０月８日公開）
【発明の概要】
【発明が解決しようとする課題】
【０００８】
しかしながら、特許文献１に開示された発明では、CASIDを用いて起動タイミングに時間差を設けるため、起動タイミングの遅いCASIDが設定された受信機ばかりを所有している世帯に対して、緊急事態の発生が告知されるタイミングが遅れてしまうという問題がある。
【０００９】
また、特許文献２に開示された発明では、受信機以外の電化機器の電源を停止するため、例えば、夜間であれば消灯が起きる可能性があり、安全性の確保という観点から、改善の余地がある。
【００１０】
本発明は、上記の課題を解決するためになされたものであり、その主たる目的は、安全性を確保した上で対象地域における電力消費の急激な上昇の抑制に貢献しつつ、緊急事態の発生を所有世帯に迅速に伝達することが可能な受信機を実現することにある。
【課題を解決するための手段】
【００１１】
上記の課題を解決するために、本発明の一態様に係る受信機は、ホームネットワーク内のテレビ番組を表示可能な複数台の表示装置を管理する受信機であって、緊急警報信号を受信する受信手段と、上記受信手段が上記緊急警報信号を受信すると、上記複数台の表示装置に対し、上記表示装置を起動させる起動コマンドを、時間間隔をあけて順次送信する送信手段と、を備えていることを特徴としている。
【発明の効果】
【００１２】
本発明の一態様によれば、安全性を確保した上で対象地域における電力消費の急激な上昇の抑制に貢献しつつ、緊急事態の発生を所有世帯に迅速に伝達することができる。
【図面の簡単な説明】
【００１３】
【図１】本発明の一実施形態に係る受信機の構成を示すブロック図である。
【図２】本発明の一実施形態に係る受信機を用いるシステムの構成を示す図である。
【図３】本発明の一実施形態に係る受信機において初期設定を行う際の動作の手順を説明するためのフローチャートである。
【図４】本発明の一実施形態に係る受信機において起動情報収集時の動作の手順を説明するためのフローチャートである。
【図５】本発明の一実施形態に係る受信機において決定された優先順位を示す優先順位テーブルの一例を示す図である。
【図６】本発明の第１の実施形態に係る受信機を用いたシステムにおいて緊急警報放送信号受信時の動作を説明するためのフローチャートである。
【図７】本発明の第２の実施形態に係る受信機を用いたシステムにおいて緊急警報放送信号受信時の動作を説明するためのフローチャートである。
【図８】本発明の第３の実施形態に係る受信機を用いたシステムにおいて緊急警報放送信号受信時の動作を説明するためのフローチャートである。
【発明を実施するための形態】
【００１４】
（実施形態１）
以下、本発明の一実施形態に係る表示装置（具体的にはテレビ受信機）について、図１から図６を参照して、詳細に説明する。最初に、本実施形態に係る表示装置の構成について図１を参照しながら説明する。図１は、本発明の一実施形態に係る表示装置１の構成を示すブロック図である。
【００１５】
（表示装置１の構成について）
図１に示すように、本発明の一実施形態に係る表示装置１は、受信部１０、ネットワーク端子１１、フラグ検出部２０、ＭＰＥＧ（Moving Picture Experts Group）処理部３１、映像/音声出力部３２、表示部３３、スピーカ３４、メインＣＰＵ４０およびメモリ５０を備えている。
【００１６】
受信部１０は例えば、地上波や衛星放送などの放送局から送信される放送波、及び緊急警報放送の開始フラグである緊急警報信号を受信し、フラグ検出部２０の備えるデジタルチューナ２１に供給する。ネットワーク端子１１は、通常のＬＡＮ（Local Area Network）などを用いたネットワークに接続するための端子であり、表示装置１はネットワーク端子１１を介して、テレビ番組を表示可能な他の複数台の表示装置とホームネットワークで接続されている。なお、表示装置１はマスター受信機として機能し、他の複数台の表示装置はスレーブ受信機として機能する。
【００１７】
フラグ検出部２０は、デジタルチューナ２１、デジタル復調部２２、及びサブマイコン２３を備えており、フラグ検出部２０の備える各部は、緊急警報信号を受信するために、スタンバイ状態においても、常時通電状態である。デジタルチューナ２１は、受信部１０から供給された放送波、及び緊急警報信号をデジタル復調部２２、及びサブマイコン２３へ供給する。デジタル復調部２２は放送波に含まれるＴＭＣＣ（Transmission and Multiplexing Configuration Control）信号を常時監視する。デジタル復調部２２が緊急警報信号を受信した場合、サブマイコン２３は、複数台の表示装置を起動させるために起動コマンドを順次送信するよう、メインＣＰＵ４０に指示する。なお、フラグ検出部２０のみは常時通電状態にあるが、フラグ検出部２０の消費電力は極僅かであるため、スタンバイ状態における表示装置１の消費電力は極僅かである。
【００１８】
ＭＰＥＧ処理部３１は、ＰＭＴ（Program Map Table）信号の解析を行う。映像/音声出力部３２は、受信した放送波に応じた映像信号および音声信号を出力する。
【００１９】
表示部３３は、入力された映像信号に応じた映像を表示するディスプレイである。
【００２０】
スピーカ３４は、入力された音声信号に応じた音声を出力する。
【００２１】
メインＣＰＵ４０は、表示装置１全体の動作を制御する。また、メインＣＰＵ４０は、コマンド送信部４１及びモニタリング部４２として機能する。コマンド送信部４１は、受信部１０が緊急警報信号を受信すると、表示装置１に接続されている複数台の表示装置に対し、表示装置を起動させる起動コマンドを、時間間隔をあけて順次送信する。モニタリング部４２は、表示装置１に接続されている複数台の表示装置の各々について、時間帯ごとの使用状況をモニタリングし、モニタリング結果をメモリ５０へ格納する。
【００２２】
メモリ５０には各種の設定データ、及びモニタリング部４２によるモニタリング結果が格納されている。
【００２３】
以上、本実施形態に係る表示装置１の構成について説明した。
【００２４】
（ホームネットワークシステムについて）
次に、表示装置１と、他の複数台の表示装置と、がネットワーク接続されたホームネットワークシステムについて図２を参照しながら説明する。
【００２５】
図２は、表示装置１と、複数の表示装置２ａ、２ｂ、及び２ｃとがホームネットワークで接続されている構成を示した図である。図２に示すように、表示装置１は緊急警報信号を受信すると、各表示装置を起動させる起動コマンドを、時間間隔をあけて順次送信する。複数の表示装置２ａ、２ｂ、及び２ｃは、待機状態にあるときに表示装置１から起動コマンドを受信すると、自装置を起動する。なお、表示装置２ａ、２ｂ、及び２ｃは、待機状態においてもネットワーク通信部（図示せず）および起動回路（図示せず、特許請求の範囲の「起動手段」に対応）は通電状態になっており、ネットワーク通信部がコマンドを受信すると、起動回路がスタンバイ状態の表示装置を起動する。そして、起動後の表示装置では、ＭＰＥＧ処理部および映像／音声出力部（それぞれ図示せず、特許請求の範囲の「表示手段」に対応）が、放送中のテレビ番組を表示する。
【００２６】
起動した表示装置は、放送中のテレビ番組を表示するとともに、緊急警報放送が放送されている旨を示すため、例えば字幕スーパーやアイコンなどを表示する。表示装置２ａ、２ｂ、及び２ｃは、視聴者からリモコンなどを用いた緊急警報放送が放送されているチャンネルへのチャンネル変更操作を受け付けると、現在表示中の放送チャンネルから、緊急警報放送番組が放送されているチャンネルに変更し、緊急警報放送番組を表示する。起動コマンドにより表示装置が起動した後、所定時間が経過すると、表示装置１は、次の表示装置へ起動コマンドを送信する。
【００２７】
（表示装置１の初期設定について）
続いて、図３〜図５を参照して表示装置１の初期設定の手順について説明する。図３は表示装置１の初期設定の手順を示したフローチャートである。
【００２８】
（ステップＳ１０１）
まず、表示装置１はユーザから表示装置１の初期設定を開始する旨を示す入力操作を受け付ける。
【００２９】
（ステップＳ１０２）
続いて、ステップＳ１０１にて初期設定を行う旨を示す入力を受け付けると、表示装置１は、表示装置１が緊急警報放送の起動制御を行うか否かについて、操作部（図示せず）を通じてユーザの入力操作を受け付ける。操作部が起動制御を行わない旨を示す入力操作を受け付けた場合、表示装置１は処理を終了する。操作部が起動制御を行う旨を示す入力操作を受け付けた場合は、表示装置１はステップＳ１０３の処理へ進む。
【００３０】
（ステップＳ１０３）
続いて、モニタリング部４２は、電源がオンになったときには電源ＯＮ通知を表示装置１に送信し、電源がオフになったときには電源ＯＦＦ通知を表示装置１に送信するよう、ホームネットワークに接続されている他の全表示装置に対して要求する。
【００３１】
（ステップＳ１０４）
モニタリング部４２は、他の各表示装置から送信されてくるＯＮ／ＯＦＦ情報（電源ＯＮ通知または電源ＯＦＦ通知）と、通知の受信時刻と、に基づいて、後述するメモリ５０の使用頻度情報を更新する。
【００３２】
また、モニタリング部４２は、表示装置１の電源のオンおよびオフとその時刻とをモニタリングし、モニタリングの結果に基づいて使用頻度情報を更新する。
【００３３】
そして、モニタリング部４２は、ステップＳ１０４の開始時から一定期間経過後（例えば、数週間後）に、その時点の使用頻度情報に基づいて、コマンド送信部４１が順次時間間隔をあけて起動コマンドを送信する際の優先順位を決定し、決定した優先順位を示す優先順位データをメモリ５０に格納する。
【００３４】
（優先順位決定処理について）
続いて、初期設定において、表示装置１が優先順位を決定する手順の詳細について、図４、及び図５を用いて説明する。図４は、表示装置１が他の表示装置からＯＮ／ＯＦＦ情報を受信したときに使用頻度情報を更新する手順を示したフローチャートである。また、図５は、図４を用いて説明する手順に基づいて決定された優先順位を示す優先順位テーブルの一例を示す図である。
【００３５】
使用頻度情報は、各表示装置の時間帯ごとの使用頻度を示す情報である。例えば、使用頻度情報は、１日を３時間ずつの時間帯に区切った８つの各時間帯における各表示装置のＳ１０４の開始時点からの累積視聴回数を示す情報であってもよい。
【００３６】
以下、表示装置１が他の表示装置からＯＮ／ＯＦＦ情報を受信したときに使用頻度情報を更新する処理について説明する。
【００３７】
（ステップＳ２０１）
まず、表示装置１では、モニタリング部４２が、ホームネットワークに接続されている複数の表示装置のうち何れかから、電源ＯＮ通知または、電源ＯＦＦ通知の何れかを示すＯＮ／ＯＦＦ情報を受信する。
【００３８】
（ステップＳ２０２）
続いて、ＯＮ／ＯＦＦ情報を受信すると、モニタリング部４２は、ＯＮ／ＯＦＦ情報に付加されている受信機ＩＤを判別する。受信機ＩＤは、ホームネットワークに接続されている複数の表示装置それぞれに予め定められている装置固有のＩＤであるため、モニタリング部４２は、複数の表示装置のうち、何れの表示装置が電源ＯＮまたはＯＦＦになったかを判別することができる。
【００３９】
（ステップＳ２０３）
続いて、モニタリング部４２はステップＳ２０１にて受信したＯＮ／ＯＦＦ情報に、ＯＮ／ＯＦＦ情報を受信した日時を示す日時情報をさらに付加し、メモリ５０に格納する。
【００４０】
（ステップＳ２０４）
続いて、モニタリング部４２は、ステップＳ２０１にて受信したＯＮ／ＯＦＦ情報が電源ＯＮ通知であったか、電源ＯＦＦ通知であったかを判別し、ＯＮ通知であると判別した場合、表示装置１はステップＳ２０６の処理へ進み、ＯＦＦ通知であると判別した場合、表示装置１はステップＳ２０５の処理へ進む。
【００４１】
（ステップＳ２０５）
続いて、ステップＳ２０４にて判別したＯＮ／ＯＦＦ情報がＯＦＦ通知であった場合、モニタリング部４２は、ステップＳ２０２にて判別したＩＤと同一のＩＤを有する表示装置の直近のＯＮ通知を受信してから、ステップＳ２０４にて判別したＯＦＦ通知までの期間を計算する。モニタリング部４２は、計算の結果に基づいて、ＯＮ通知からＯＦＦ通知までの期間が、複数の時間帯にまたがっているか否かを判定する。モニタリング部４２が複数の時間帯にまたがっていると判定した場合、表示装置１はステップＳ２０６の処理へ進み、モニタリング部４２が複数の時間帯にまたがっていないと判定した場合は、表示装置１は処理を終了する。
【００４２】
（ステップＳ２０６）
続いて、モニタリング部４２は該当時間帯の視聴カウント数を１増加することにより、メモリ５０の使用頻度情報を更新し、処理を終了する。ここで、該当時間帯とは、ステップＳ２０４にてＯＮ／ＯＦＦ情報が電源ＯＮ通知であると判別された場合には、表示装置１がＯＮ／ＯＦＦ情報を受信した日時を含む時間帯を指す。また、ステップＳ２０４にてＯＮ／ＯＦＦ情報がＯＦＦ通知であると判別された場合には、表示装置１がＯＮ通知を受信した日時を含む時間帯、ＯＦＦ通知を受信した日時を含む時間帯、及び上記２つの時間帯の間に存在する全ての時間帯を指す。すなわち、複数の時間帯にまたがって表示装置が起動されていたことを示すように、その表示装置の各時間帯の視聴カウント数が１増加するよう使用頻度情報を更新し、表示装置１は使用頻度情報の更新処理を終了する。
【００４３】
以上、他の表示装置からＯＮ／ＯＦＦ情報を受信したときの表示装置１による使用頻度情報の更新処理について説明した。
【００４４】
表示装置１は、ステップＳ１０４において、一定期間に亘って、ＯＮ／ＯＦＦ情報を受信する度に以上の使用頻度情報の更新処理を行い、自装置のオンまたはオフを検出するたびに使用頻度情報の更新処理を行う。これにより、表示装置１は、一定期間における各表示装置の使用頻度が反映された使用頻度情報を得ることができる。
【００４５】
図５は、表示装置１の以上の処理によりステップＳ１０４の開始時から一定期間後に得られた使用頻度情報に基づいて、表示装置１が決定した優先順位を示す優先順位テーブルの一例を示している。より具体的には、図５は、平日及び土日の２通りの場合について１日を３時間ずつの時間帯に区切った各時間帯における各表示装置の優先順位を示している。
【００４６】
モニタリング部４２は使用頻度情報に基づいて平日および土日の２通りについて各時間帯における各表示装置の優先順位を決定し、図５に例示されるような優先順位テーブルをメモリ５０に格納する。具体的には、モニタリング部４２は、各時間帯について、使用頻度情報が示すその時間帯における各表示装置の使用頻度（累積視聴カウント数）に基づき、使用頻度が相対的に高い表示装置に対し、相対的に高い優先順位を割り当てる。
【００４７】
このようにしてメモリ５０に格納された優先順位テーブルは、緊急警報信号が放送局から送信されたときにコマンド送信部４１によって参照されることになる。
【００４８】
すなわち、ある時間帯にスタンバイ状態の表示装置１が緊急警報信号を受信すると、表示装置１はまず自装置を起動させ、コマンド送信部４１は優先順位テーブルを参照し、その時間帯における他の各表示装置の優先順位を特定する。そして、コマンド送信部４１は、優先順位の高い順に、起動コマンドを各表示装置に送信する。
【００４９】
なお、本実施形態においては、表示装置１は、各表示装置の各時間帯における累積視聴カウント数に基づいて優先順位を決定する構成としたが、これは本発明を限定するものではなく、例えば、表示装置１は、表示装置毎に各時間帯における総視聴時間を示した使用頻度情報に基づいて優先順位を決定する構成としてもよい。
【００５０】
（優先順位決定処理の変形例について）
前述の優先順位決定処理中に、表示装置２ａ、２ｂおよび２ｃが、電源がオンまたはオフになるたびにON/OFF情報を表示装置１に送信し、表示装置１が、ON/OFF情報を受信するたびに使用頻度情報を更新するものとした。しかしながら、優先順位決定処理はこれに限定されない。以下では優先順位決定処理の一変形例について説明する。
【００５１】
まず、表示装置２ａ、２ｂおよび２ｃは、自装置の電源がＯＮまたはＯＦＦになった際に、電源がＯＮまたはＯＦＦになったことを示すＯＮ／ＯＦＦ情報を自装置のメモリ（図示せず）に格納する。この際、表示装置２ａ、２ｂおよび２ｃは、ＯＮ／ＯＦＦ情報に電源がＯＮまたはＯＦＦになった日時を示す日時情報を付加して自装置のメモリに格納する。表示装置２ａ、２ｂおよび２ｃは、自装置のメモリに格納されたＯＮ／ＯＦＦ情報を参照し、各曜日の各時間帯において、自装置が起動状態にある回数をカウントする。表示装置２ａ、２ｂおよび２ｃは、このカウントを所定の期間（例えば数週間）継続して行う。
【００５２】
表示装置１は、一定期間に一度（例えば１週間に一度）、表示装置２ａ、２ｂおよび２ｃに対して、視聴回数データのデータ送信指示を送信する。ここで、視聴回数データとは、曜日毎、および、時間帯毎に、直近の一定期間内において該当曜日の該当時間帯に表示装置が起動していた回数を示したデータである。データ送信指示を受信した各表示装置は、視聴回数データに、自装置に予め定められている受信機ＩＤを付加して、表示装置１へ送信する。なお、表示装置１が上記データ送信指示を送信した際に、受信した表示装置が待機状態であった場合、表示装置１からの指示を自装置のサブマイコン２３が受信し、受信したサブマイコン２３は、自装置が次回起動した際に、上記視聴回数データを表示装置１に送信してもよい。
【００５３】
表示装置１は、各表示装置からの視聴回数データの集計を所定の期間繰り返し行う。そして、表示装置１は、所定の期間の経過後、それまでの集計結果に基づいて、各曜日の各時間帯について、その時間帯の視聴回数が相対的に多い表示装置に対し、その時間帯における優先順位を相対的に高く設定し、図５に示すような優先順位テーブルを作成する。
【００５４】
なお、表示装置１は、上記手順に従って作成した優先順位テーブルを随時更新する構成としてもよい。例えば、表示装置２ａ、２ｂおよび２ｃは、初期設定後の所定の期間だけでなく、その後も常に、自装置が起動状態にある回数をカウントしてもよい。そして、表示装置１は、所定の期間の経過後にも、例えば１週間ごとに視聴回数データのデータ送信指示を表示装置２ａ、２ｂおよび２ｃにしてもよい。さらに、表示装置１は、例えば１週間ごとに、最も古い視聴回数データをメモリ５０から削除するとともに、直近の数週間で各表示装置から収集した視聴回数データの集計結果に基づいて新たな優先順位テーブルを作成してもよい。そして、表示装置１は、メモリ５０の既存の優先順位テーブルを、この新しい優先順位テーブルに更新してもよい。
【００５５】
（緊急警報放送起動フラグ検出時の動作について）
続いて、表示装置１を用いたシステムの動作の詳細について、図６を参照しながら説明する。図６は表示装置１を用いたシステムの緊急警報放送信号受信時の動作を説明するためのフローチャートである。
【００５６】
（ステップＳ３０１）
まず、表示装置１の受信部１０が緊急警報放送の起動フラグである緊急警報信号を受信する。そして、緊急警報信号の受信時に表示装置１がスタンバイ状態にある場合、さらに、表示装置１の起動回路（図示せず）は、ＣＰＵ４０を起動する。なお、ここでのＣＰＵ４０の起動とは、表示装置１の通常の起動（すなわち、表示装置１がテレビ番組を表示可能な状態にするための起動）ではなく、コマンド送信部４１およびモニタリング部４２を機能させることを目的とした起動である。したがって、スタンバイ状態の表示装置１が緊急警報信号を受信した場合、この時点では表示装置１は通常の消費電力を消費しておらず、テレビ番組を表示できるようにもなっていない。
【００５７】
（ステップＳ３０２）
続いて、モニタリング部４２は、次にどの優先順位の表示装置に起動コマンドを送信すべきかを示す変数Ｘ（Ｘは正の整数）を１に設定する。すなわち、この変数Ｘは、その値が１である場合には優先順位が１番である表示装置に起動コマンドを送信すべきであることを示し、その値が３である場合には優先順位が３番である表示装置に起動コマンドを送信すべきであることを示している。なお、変数Ｘは、その値が０である場合には、例外的に、起動コマンドを送信せず起動中の表示装置の現使用状況を確認すべき旨を示す。
【００５８】
（ステップＳ３０３）
続いて、モニタリング部４２は、ホームネットワークに接続されている複数の表示装置すべての起動状態を確認する。表示装置１は、全表示装置の電源がＯＦＦ（スタンバイ状態）であった場合、ステップＳ３０４の処理へ進み、電源ＯＮの表示装置（テレビ番組が表示できる状態の表示装置）が１台でも存在していた場合は、ステップＳ３０５の処理へ進む。
【００５９】
（ステップＳ３０４）
続いて、コマンド送信部４１は、メモリ５０に格納されている優先順位テーブルを参照することでＸの値が示す優先順位を有する表示装置を特定し、その表示装置に対し、起動コマンドを送信する。表示装置１は、ステップＳ３０４の後、ステップＳ３０６に進む。
【００６０】
（ステップＳ３０５）
ステップＳ３０３にて、電源ＯＮの表示装置が１台でも存在していた場合は、モニタリング部４２はＸの値を０に設定し、ステップＳ３０６の処理へ進む。この際、コマンド送信部４１は、起動コマンドの送信は行わない。
【００６１】
（ステップＳ３０６）
続いて、モニタリング部４２は、ステップＳ３０４にてコマンド送信部４１による起動コマンドの送信先となった表示装置の周囲に人が居るか否かを判定するために、その表示装置に対するリモコン操作信号の有無を検出する。また、ステップＳ３０５にてＸの値が０に設定されている場合は、モニタリング部４２は、すでに起動している表示装置に対するリモコン操作信号の有無を検出する。表示装置１は、表示装置に対してリモコン操作信号が送られたことを検出した場合はステップＳ３０８の処理へ進み、表示装置に対してリモコン操作信号が送られたことを検出しなかった場合にはステップＳ３０７の処理へ進む。なお、後述の実施形態２および３でも同様であるが、スレーブ受信機として機能する表示装置２ａ、２ｂおよび２ｃは、自装置に対するリモコン操作信号を検出すると、その旨を示すリモコン操作信号をマスター受信機である表示装置１に通知するようになっている。
【００６２】
（ステップＳ３０７）
続いて、モニタリング部４２は、予め設定された所定の待ち時間が経過したか否かを判別する。表示装置１は、所定の待ち時間が経過していないと判別した場合はステップＳ３０６の処理へ戻り、所定の待ち時間が経過したと判別した場合はステップＳ３０８の処理へ進む。
【００６３】
（ステップＳ３０８）
続いて、コマンド送信部４１は、全ての表示装置に対して起動コマンドを送信したか否かを確認する。表示装置１は、全ての表示装置に対して起動コマンドを送信した場合は処理を終了し、全部または一部の表示装置にまだ起動コマンドを送信していない場合はステップＳ３０９の処理へ進む。
【００６４】
（ステップＳ３０９）
続いて、コマンド送信部４１はＸの値を１増加させ、ステップＳ３０４の処理へ戻る。
【００６５】
表示装置１は、上記の手順を繰り返すことで、ホームネットワークに接続されている複数の表示装置に対し、順次時間間隔をあけて起動コマンドを送信し、全ての表示装置を起動する。具体的には、表示装置１は、直近の起動コマンドの送信先となった表示装置に対してリモコン操作が成されるか、直近の起動コマンドを送信してから所定の待ち時間が経過してから、次の起動コマンドを送信する。
【００６６】
（表示装置１の利点）
以上のように、表示装置１は、ホームネットワーク内のテレビ番組を表示可能な表示装置２ａ、２ｂおよび２ｃを管理するマスター受信機であって、緊急警報信号を受信するフラグ検出部２０（特許請求の範囲の「受信手段」に対応）を備えている。
【００６７】
表示装置１のコマンド送信部４１（特許請求の範囲の「送信手段」に対応）は、フラグ検出部２０が緊急警報信号を受信すると、表示装置２ａ、２ｂおよび２ｃに対し、表示装置を起動させる起動コマンドを、時間間隔をあけて順次送信する。
【００６８】
上記の構成により、表示装置１は、緊急警報信号を受信した場合であっても、ホームネットワーク内の全表示装置を一斉には起動しないため、緊急警報放送の対象地域および宅内における電力消費の急激な上昇の抑制に貢献する。また、表示装置１は、緊急警報信号を受信すると、ホームネットワーク内のいずれかの表示装置をすぐに起動させる（いずれかの表示装置にすぐに最初の起動コマンドを送信する）ので、緊急事態の発生を所有世帯に迅速に伝達することができる。
【００６９】
また、表示装置１は、電力消費の急激な上昇を抑えるために、緊急事態の発生時に安全確保に必要な電灯等の電気機器をオフにしてしまうこともない。
【００７０】
したがって、表示装置１は、安全性を確保した上で対象地域における電力消費の急激な上昇の抑制に貢献しつつ、緊急事態の発生を所有世帯に迅速に伝達することが可能である。
【００７１】
なお、上述のように、表示装置１は、使用頻度情報に基づいて作成された優先順位テーブルを参照することで、緊急警報信号を受信した時間帯に最も周囲に人が居る可能性が高いスタンバイ状態の表示装置を最優先で起動しようとする。例えば、図５の優先順位テーブルを保持している表示装置１は、平日の午前７時に緊急警報信号を受信した場合、表示装置２ｃを最優先で起動しようとする。
【００７２】
したがって、表示装置１が緊急事態の発生を所有世帯に迅速に伝達できる可能性も非常に高いものとなる。
【００７３】
（実施形態２）
本発明の第２の実施形態について、図７に基づいて説明すれば、以下のとおりである。なお、説明の便宜上、前記実施形態にて説明した図面と同じ機能を有する部材については、同じ符号を付記し、その説明を省略する。図７は本発明の第２の実施形態に係る表示装置を用いたシステムにおいて緊急警報放送信号受信時の動作を説明するためのフローチャートである。
【００７４】
（ステップＳ４０１）
まず、表示装置１の受信部１０が緊急警報放送の起動フラグである緊急警報信号を受信する。表示装置１は、その他、ステップＳ３０１と同様の処理を行う。
【００７５】
（ステップＳ４０２）
続いて、モニタリング部４２は、次にどの優先順位の表示装置に起動コマンドを送信すべきかを示す変数Ｘ（Ｘは正の整数）を１に設定する。
【００７６】
（ステップＳ４０３）
続いて、モニタリング部４２は、ホームネットワークに接続されている複数の表示装置すべての起動状態を確認する。表示装置１は、全表示装置の電源がＯＦＦであった場合、ステップＳ４０４の処理へ進み、電源ＯＮの表示装置が１台でも存在していた場合は、ステップＳ４０５の処理へ進む。
【００７７】
（ステップＳ４０４）
続いて、コマンド送信部４１は、メモリ５０に格納されている優先順位テーブルを参照することでＸの値が示す優先順位を有する表示装置を特定し、その表示装置に対し、起動コマンドを送信する。表示装置１は、ステップＳ４０４の後、ステップＳ４０６に進む。
【００７８】
（ステップＳ４０５）
ステップＳ４０３にて、電源ＯＮの表示装置が１台でも存在していた場合は、モニタリング部４２はＸの値を０に設定し、ステップＳ４０６の処理へ進む。この際、コマンド送信部４１は、起動コマンドの送信は行わない。
【００７９】
（ステップＳ４０６）
続いて、モニタリング部４２は、ステップＳ４０４にてコマンド送信部４１が起動コマンドを送信した表示装置に対するリモコン操作信号の有無を検出する。また、ステップＳ４０５にてＸの値が０に設定されている場合は、モニタリング部４２は、すでに起動している表示装置に対するリモコン操作信号の有無を検出する。表示装置１は、リモコン操作信号が検出された場合はステップＳ４０９の処理へ進み、リモコン操作信号が検出されない場合はステップＳ４０７の処理へ進む。
【００８０】
（ステップＳ４０７）
続いて、モニタリング部４２は、予め設定された所定の待ち時間が経過したか否かを判別する。表示装置１は、所定の待ち時間が経過していないと判別した場合にはステップＳ４０６の処理へ戻り、所定の待ち時間が経過したと判別した場合にはステップＳ４０８の処理へ進む。
【００８１】
（ステップＳ４０８）
続いて、モニタリング部４２がステップＳ４０７にて所定の待ち時間が経過したと判別した場合、コマンド送信部４１はＸの値が示す優先順位を有する表示装置に対し、電源をオフ（より具体的には待機状態）にさせる電源ＯＦＦコマンドを送信する。
【００８２】
（ステップＳ４０９）
続いて、コマンド送信部４１は、全ての表示装置に対して起動コマンドを送信したか否かを確認する。表示装置１は、全ての表示装置に対して起動コマンドを送信した場合は処理を終了し、全部または一部の表示装置にまだ起動コマンドを送信していない場合はステップＳ４１０の処理へ進む。
【００８３】
（ステップＳ４１０）
続いて、コマンド送信部４１はＸの値を１増加させ、ステップＳ４０４の処理へ戻る。
【００８４】
表示装置１は、上記の手順を繰り返すことで、ホームネットワークに接続されている複数の表示装置に対し、時間間隔をあけて順次起動コマンドを送信し、周囲に視聴者が存在する可能性が低い表示装置に対してはさらに電源ＯＦＦコマンドを送信する。表示装置１のこの処理により、周囲に視聴者が存在する可能性が高い表示装置のみが起動状態を維持することになり、視聴者には緊急事態の発生が迅速に伝わり、尚且つ、宅内および対象地域における電力消費の上昇が抑制されることになる。
【００８５】
（実施形態３）
本発明の第３の実施形態について、図７に基づいて説明すれば、以下のとおりである。なお、説明の便宜上、前記実施形態にて説明した図面と同じ機能を有する部材については、同じ符号を付記し、その説明を省略する。図７は本発明の第２の実施形態に係る表示装置を用いたシステムにおいて緊急警報放送信号受信時の動作を説明するためのフローチャートである。
【００８６】
（ステップＳ５０１）
まず、表示装置１の受信部１０が緊急警報放送の起動フラグである緊急警報信号を受信する。表示装置１は、その他、ステップＳ３０１およびステップＳ４０１と同様の処理を行う。
【００８７】
（ステップＳ５０２）
続いて、モニタリング部４２は、次にどの優先順位の表示装置に起動コマンドを送信すべきかを示す変数Ｘ（Ｘは正の整数）を１に設定する。
【００８８】
（ステップＳ５０３）
続いて、モニタリング部４２は、ホームネットワークに接続されている複数の表示装置すべての起動状態を確認する。表示装置１は、全表示装置の電源がＯＦＦであった場合、ステップＳ５０４の処理へ進み、電源ＯＮの表示装置が１台でも存在していた場合は、ステップＳ５０５の処理へ進む。
【００８９】
（ステップＳ５０４）
続いて、コマンド送信部４１は、メモリ５０に格納されている優先順位テーブルを参照することでＸの値が示す優先順位を有する表示装置を特定し、その表示装置に対し、起動コマンドを送信する。表示装置１は、ステップＳ５０４の後、ステップＳ５０６に進む。
【００９０】
（ステップＳ５０５）
また、ステップＳ５０３にて、電源ＯＮの表示装置が１台でも存在していた場合は、モニタリング部４２はＸの値を０に設定し、ステップＳ５０６の処理へ進む。この際、コマンド送信部４１は、起動コマンドの送信は行わない。
【００９１】
（ステップＳ５０６）
続いて、モニタリング部４２は、ステップＳ５０４にてコマンド送信部４１が起動コマンドを送信した表示装置に対するリモコン操作信号の有無を検出する。また、ステップＳ５０５にてＸの値が０に設定されている場合は、表示装置１は、すでに起動している表示装置に対するリモコン操作信号の有無を検出する。表示装置１は、リモコン操作信号が検出された場合は処理を終了し、リモコン操作信号が検出されない場合はステップＳ５０７の処理へ進む。
【００９２】
（ステップＳ５０７）
続いて、モニタリング部４２は、予め設定された所定の待ち時間が経過したか否かを判別する。表示装置１は、所定の待ち時間が経過していないと判別した場合はステップＳ５０６の処理へ戻り、所定の待ち時間が経過したと判別した場合はステップＳ５０８の処理へ進む。
【００９３】
（ステップＳ５０８）
続いて、モニタリング部４２がステップＳ５０７にて所定の待ち時間が経過したと判別した場合、コマンド送信部４１は、Ｘの値が示す優先順位を有する表示装置に対し、電源をオフにさせる電源ＯＦＦコマンドを送信する。
【００９４】
（ステップＳ５０９）
続いて、コマンド送信部４１は、全ての表示装置に対して起動コマンドを送信したか否かを確認する。表示装置１は、全ての表示装置に対して起動コマンドを送信した場合は処理を終了し、全部または一部の表示装置にまだ起動コマンドを送信していない場合はステップＳ５１０の処理へ進む。
【００９５】
（ステップＳ５１０）
続いて、コマンド送信部４１はＸの値を１増加させ、ステップＳ５０４の処理へ戻る。
【００９６】
表示装置１は、上記の手順を繰り返すことで、ホームネットワークに接続されている周囲に視聴者が存在する可能性が高い全表示装置のうちただ１台の表示装置のみに起動状態を維持させることになる。したがって、実施形態３に係る表示装置１は、視聴者に緊急事態の発生を迅速に伝えつつ、実施形態２と比較して、宅内および対象地域における電力消費の上昇をさらに抑制することができる。
【００９７】
なお、実施形態２に係る表示装置１は、緊急警報信号の受信後に周囲に人が居る可能性が高い全ての表示装置を起動させたままにするので、実施形態３と比較して、緊急事態の発生を宅内のより多くの人に迅速に伝達できる。
【００９８】
（付記事項１）
表示装置１は、テレビ番組の受信および表示を主機能とするテレビ受信機であってもよいが、テレビ番組の受信および表示を付加機能として備えているチューナ内蔵ノートＰＣまたはタブレット端末としても実現できる。
【００９９】
本発明に係る受信機は、表示装置１に限定されない。例えば、本発明に係る受信機は、表示機能を備えていなくともよい。例えば、本発明は、チューナ単体の装置としても実施できるし、チューナ内蔵のデスクトップＰＣとしても実施できる。
【０１００】
（付記事項２）
表示装置２ａ、２ｂおよび２ｃは、自装置に対してリモコン操作信号が送られたときに、その旨を表示装置１に通知してもよいが、表示装置２ａ、２ｂおよび２ｃは、これに限定されない。すなわち、表示装置２ａ、２ｂおよび２ｃは、人感センサを備え、自装置の人感センサが周囲に人が居ることを検出した場合に、その旨を示す人感センサ情報を表示装置１に通知してもよい。
【０１０１】
そして、表示装置１は、直近の起動コマンドの送信先となった表示装置から周囲に人が居る旨を示す人感センサ情報をステップＳ３０４の後に受けた場合には、ステップＳ３０８の処理に進んでもよい。
【０１０２】
（まとめ）
本発明の一態様に係る受信機（表示装置１）は、ホームネットワーク内のテレビ番組を表示可能な複数台の表示装置（表示装置２ａ、２ｂ、２ｃ）を管理する受信機であって、緊急警報信号を受信する受信手段（受信部１０）と、上記受信手段が上記緊急警報信号を受信すると、上記複数台の表示装置に対し、上記表示装置を起動させる起動コマンドを、順次時間間隔をあけて送信する送信手段（コマンド送信部４１）と、を備えていることを特徴としている。
【０１０３】
上記のように構成された本発明に係る受信機によれば、緊急警報信号受信時に、ホームネットワーク内の複数台の表示装置を順次時間間隔をあけて起動することができる。具体的には、本発明に係る受信機は、緊急警報信号受信時に、１台目の表示装置をすぐに起動し、その後、時間間隔をあけて２台目の表示装置を起動する。本発明に係る受信機は、以降同様にして複数台の表示装置を起動する。
【０１０４】
したがって、上記の構成によれば、緊急警報の対象地域における電力消費の急激な上昇の抑制に貢献しつつ、緊急事態の発生を所有世帯に迅速に伝達することができる。
【０１０５】
また、上記の受信機において、上記複数台の表示装置の各々について、該表示装置の時間帯ごとの使用状況をモニタリングするモニタリング手段（モニタリング部４２）をさらに備え、上記送信手段は、上記モニタリング手段によるモニタリングの結果に基づいて、上記緊急警報信号の受信時が属する時間帯での使用頻度が相対的に高い表示装置に対し、該時間帯での使用頻度が相対的に低い表示装置に対してよりも先に上記起動コマンドを送信する、ことが好ましい。
【０１０６】
上記の構成によれば、上記受信機は、上記複数の表示装置に対して順次起動コマンドを送信するが、具体的には、視聴される可能性が相対的に高い表示装置に対して相対的に早く起動コマンドを送信することになる。
【０１０７】
したがって、本発明に係る受信機は、緊急事態の発生を所有世帯により迅速に伝達することができる。
【０１０８】
また、上記の受信機において、上記送信手段が直近で送信した起動コマンドの送信先となった表示装置の周囲における人の有無を判定する判定手段（モニタリング部４２）をさらに備え、上記送信手段は、上記判定手段により人が居ないと判定された場合には次の起動コマンドを送信し、上記判定手段により人が居ると判定された場合には以降の起動コマンドを送信しないように構成されている、ことが好ましい。
【０１０９】
上記の構成によれば、上記受信機は、起動コマンドの送信先となった表示装置の周囲における人の有無を判定し、人が居ると判定した場合には、以降、他の表示装置を起動させない。
【０１１０】
したがって、本発明に係る受信機は、緊急事態の発生を所有世帯に迅速に伝達しつつ、宅内および対象地域における消費電力の上昇を一層抑制することができる。
【０１１１】
また、上記の受信機において、上記送信手段が直近で送信した起動コマンドの送信先となった表示装置の周囲における人の有無を判定する判定手段をさらに備え、上記送信手段は、上記判定手段により人が居ないと判定された場合にも人が居ると判定された場合にも上記判定手段による判定後すぐに次の起動コマンドを送信するように構成されている、ことが好ましい。
【０１１２】
上記の構成によれば、上記判定手段により、起動コマンドの送信先となった表示装置の周囲における人の有無を判定した後、すぐに次の起動コマンドを送信するため、起動コマンドの送信間隔を短縮することができる。
【０１１３】
したがって、上記の構成によれば、上記受信機は、上記複数台の表示装置の起動タイミングをずらしつつも起動タイミングのずれを最小限にすることになる。すなわち、上記受信機は、ホームネットワーク内の全表示装置の起動を迅速に行うことができる。
【０１１４】
これにより、本発明に係る受信機は、対象地域における電力消費の急激な上昇の抑制に貢献しつつも、緊急事態の発生を所有世帯により迅速に伝達できる。
【０１１５】
また、上記の受信機において、上記複数台の表示装置の各々は、自装置の周囲に人が居ることを検出した場合にその旨を示す情報を上記受信機に送信するように構成されており、上記判定手段は、直近の起動コマンドの送信時からの一定期間内に該起動コマンドの送信先となった表示装置から該情報を受信したことを以って、該表示装置の周囲に人が居ると判定し、該一定期間内に該情報を受信しなかったことを以って、該表示装置の周囲に人が居ないと判定するように構成されている、ことが好ましい。
【０１１６】
上記の構成によれば、上記受信機は、表示装置が自装置の周囲に人が居ること検出した場合に、その表示装置の周囲に人が居ると判定する。
【０１１７】
したがって、上記受信機は、表示装置の周囲に人が居るか否かを高い精度で判定できるので、緊急事態の発生を所有世帯により確実に伝達することができる。
【０１１８】
また、上記の受信機において、上記複数台の表示装置の各々は、人感センサを備え、自装置の人感センサが周囲に人が居ることを検出した場合に上記情報を上記受信機に送信する、ことが好ましい。
【０１１９】
また、上記の受信機において、上記複数台の表示装置の各々は、リモコンにより操作可能に構成されており、自装置へのリモコンによる遠隔操作を検出した場合に上記情報を上記受信機に送信する、ことが好ましい。
【０１２０】
また、上記の受信機において、上記送信手段は、上記判定手段が表示装置に周囲に人がいないと判定した場合に、該表示装置に対して、該表示装置を待機状態にするコマンドを送信する、ことが好ましい。
【０１２１】
上記の構成によれば、起動コマンドの送信先となった表示装置の周囲に人が存在しないと判定した場合に、該表示装置を待機状態にしたうえで、次の起動コマンドを送信することができる。したがって、上記の構成によれば、緊急事態の発生時に、対象地域における総消費電力の増大の抑制に一層貢献することができる。
【０１２２】
また、上記の受信機によって管理されるテレビ番組を表示可能な表示装置は、待機状態において上記起動コマンドを上記受信機から受信した場合に自装置を起動させる起動手段と、上記起動手段により自装置が起動されると、放送中のテレビ番組を表示する表示手段と、を備えている、ことが好ましい。
【０１２３】
上記の構成によれば、上記表示装置は、上記受信機から起動コマンドを受信すると、自装置を起動し、緊急事態の発生を伝えるテレビ番組を表示することができる。したがって、上記の構成によれば、緊急事態の発生を所有世帯により確実に伝達することができる。
【０１２４】
なお、本発明は、上記の受信機の各手段を備えているテレビジョン受像機（表示装置１）としても実現できる。
【０１２５】
なお、本発明は、上記の受信機と上記の表示装置とを含んでいるホームネットワークシステムとしても実現できる。
【０１２６】
また、本発明の一態様に係る管理方法は、ホームネットワーク内のテレビ番組を表示可能な複数台の表示装置を管理する受信機の管理方法であって、緊急警報信号を受信する受信工程と、上記受信工程にて上記緊急警報信号が受信されると、上記複数台の表示装置に対し、上記表示装置を起動させる起動コマンドを、順次時間間隔をあけて送信する送信工程と、を含んでいることを特徴としている。
【０１２７】
上記の管理方法によれば、上記の受信機と同様の効果を奏する。
【０１２８】
また、本発明に係る受信機が備えているコンピュータを動作させるためのプログラムであって、当該コンピュータを上記受信機が備えている各手段として機能させるためのプログラム、および、それらのプログラムを記録したコンピュータ読み取り可能な記録媒体についても本発明の範疇に含まれる。
【０１２９】
また、本発明に係る表示装置が備えているコンピュータを動作させるためのプログラムであって、当該コンピュータを上記表示装置が備えている各手段として機能させるためのプログラム、および、それらのプログラムを記録したコンピュータ読み取り可能な記録媒体についても本発明の範疇に含まれる。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３１】
（ソフトウェアによる実現例）
最後に、表示装置１および表示装置２ａ〜２ｃの各ブロック、特にコマンド送信部４１およびモニタリング部４２は、集積回路（ＩＣチップ）上に形成された論理回路によってハードウェア的に実現してもよいし、ＣＰＵ（Central Processing Unit）を用いてソフトウェア的に実現してもよい。
【０１３２】
後者の場合、表示装置１および表示装置２ａ〜２ｃは、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１および表示装置２ａ〜２ｃの制御プログラムのプログラムコード（実行形式プログラム、中間コードプログラム、ソースプログラム）をコンピュータで読み取り可能に記録した記録媒体を、表示装置１および表示装置２ａ〜２ｃに供給し、そのコンピュータ（またはＣＰＵやＭＰＵ）が記録媒体に記録されているプログラムコードを読み出し実行することによっても、達成可能である。
【０１３３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１３４】
また、表示装置１および表示装置２ａ〜２ｃを通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３５】
本発明は、複数台のテレビ受信機が接続されたホームネットワークシステムに好適に利用することができる。
【符号の説明】
【０１３６】
１    表示装置（受信機）
２ａ  表示装置
２ｂ  表示装置
２ｃ  表示装置
１０  受信部（受信手段）
２０  フラグ検出部
２１  デジタルチューナ
２２  デジタル復調部
２３  サブマイコン
３１  ＭＰＥＧ処理部
３２  映像/音声出力部
４０  メインＣＰＵ
４１  コマンド送信部（送信手段）
４２  モニタリング部（モニタリング手段、判定手段）
５０  メモリ
【図１】
2014053745.tif 000003
【図２】
2014053745.tif 000004
【図３】
2014053745.tif 000005
【図４】
2014053745.tif 000006
【図５】
2014053745.tif 000007
【図６】
2014053745.tif 000008
【図７】
2014053745.tif 000009
【図８】
2014053745.tif 000010